(57)【要約】【課題】安定的にドロップアウトの発生を検出する「ドロップアウト検出装置、ディスク再生装置及びドロップアウト検出方法」を提供する。【解決手段】ローパスフィルタ２２は、エンベロープ生成回路２１で生成した、RFアンプ部１０６から入力する第１RF信号RF1の上側エンベロープを表すエンベロープ信号ENVの低域成分をLFENV信号として出力する。加算器２３は、シフト量SHを、エンベロープ信号ENVに加算し、シフトエンベロープ信号SENV信号として出力し、比較器２４は、LFENV信号がシフトエンベロープ信号SENVより大きい期間PT中、ドロップアウト検出信号DETを出力する。検出制御部２５は、第１RF信号RF1の振幅ARF1を検出し、検出した振幅ARF1の大きさに応じてローパスフィルタ２２の周波数ゲイン特性とシフト量SHを変更する。【選択図】図３
2008287799.tif 000002
【特許請求の範囲】
【請求項１】
記録媒体であるディスクから読み出したRF信号に発生した、記録信号成分の欠落であるドロップアウトの発生を検出するドロップアウト検出装置であって、
前記RF信号のエンベロープを表すエンベロープ信号を生成するエンベロープ信号生成部と、
ドロップアウトが発生しているとみなす前記エンベロープ信号の状態を規定する基準に従って、前記エンベロープ信号生成部が生成した前記エンベロープ信号の状態から、ドロップアウトの発生を検出し、ドロップアウトの発生を検出している期間中、ドロップアウトの発生を表すドロップアウト検出信号を出力するドロップアウト信号生成部と、
前記RF信号の振幅の大きさを検出する振幅検出部と、
前記ドロップアウト信号生成部に前記基準を設定すると共に、当該ドロップアウト信号生成部に設定する前記基準を前記振幅検出部が検出した振幅の大きさに応じて、同期間のドロップアウトに対して前記RF信号の振幅によらずに同期間のドロップアウト信号が出力されるように変化させる基準調整部とを有することを特徴とするドロップアウト検出装置。
【請求項２】
請求項１記載のドロップアウト検出装置であって、
前記基準調整部は、前記基準が前記振幅検出部が検出した振幅の大きさが小さいほど小さい値を規定するように当該基準を変化させ、
前記ドロップアウト信号生成部は、前記エンベロープ信号の振幅の中央値に前記基準が規定する値を加えたしきい値よりも、当該エンベロープ信号の大きさが小さい期間中、前記ドロップアウト検出信号を出力することを特徴とするドロップアウト検出装置。
【請求項３】
請求項１記載のドロップアウト検出装置であって、
前記基準調整部は、前記基準が前記振幅検出部が検出した振幅の大きさが小さいほど小さい値を規定するように当該基準を変化させ、
前記ドロップアウト信号生成部は、前記エンベロープ信号に前記基準が規定する値を加えた信号の大きさよりも、前記エンベロープ信号の低域成分の大きさが大きい期間中、前記ドロップアウト検出信号を出力することを特徴とするドロップアウト検出装置。
【請求項４】
請求項１記載のドロップアウト検出装置であって、
前記ドロップアウト信号生成部は、
前記エンベロープ信号の低域成分を抽出するローパスフィルタと、
前記エンベロープ信号に所定値を加えた信号の大きさと、前記ローパスフィルタが抽出した前記低域成分の大きさとを比較し、前記エンベロープ信号に所定値を加えた信号の大きさよりも前記低域成分の大きさが大きい期間中、前記ドロップアウト検出信号を出力する比較部とを有し、
前記基準は、前記ローパスフィルタの周波数ゲイン特性を規定するものであり、
前記基準調整部は、基準が規定する周波数ゲイン特性における前記ローパスフィルタのカットオフ周波数が前記振幅検出部が検出した振幅の大きさが小さいほど大きくなるように、当該基準を変化させることを特徴とするドロップアウト検出装置。
【請求項５】
請求項４記載のドロップアウト検出装置であって、
前記基準は、前記ローパスフィルタの周波数ゲイン特性に加え、前記所定値の大きさを規定するものであり、
前記基準調整部は、基準が規定する前記所定値の大きさが前記振幅検出部が検出した振幅の大きさが小さいほど小さくなるように、当該基準を変化させることを特徴とするドロップアウト検出装置。
【請求項６】
請求項１記載のドロップアウト検出装置を備えたことを特徴とするディスク再生装置。
【請求項７】
請求項２記載のドロップアウト検出装置を備えたことを特徴とするディスク再生装置。
【請求項８】
請求項３記載のドロップアウト検出装置を備えたことを特徴とするディスク再生装置。
【請求項９】
請求項４記載のドロップアウト検出装置を備えたことを特徴とするディスク再生装置。
【請求項１０】
請求項５記載のドロップアウト検出装置を備えたことを特徴とするディスク再生装置。
【請求項１１】
請求項６記載のディスク再生装置であって、
前記ディスクからRF信号を読み出すピックアップと、ピックアップが読み出した直流成分を含むRF信号を所定レベルに増幅する増幅回路とを有し、
前記エンベロープ信号生成部は、前記増幅回路が増幅した前記RF信号のエンベロープを表すエンベロープ信号を生成することを特徴とするディスク再生装置。
【請求項１２】
請求項７記載のディスク再生装置であって、
前記ディスクからRF信号を読み出すピックアップと、ピックアップが読み出した直流成分を含むRF信号を所定レベルに増幅する増幅回路とを有し、
前記エンベロープ信号生成部は、前記増幅回路が増幅した前記RF信号のエンベロープを表すエンベロープ信号を生成することを特徴とするディスク再生装置。
【請求項１３】
請求項８記載のディスク再生装置であって、
前記ディスクからRF信号を読み出すピックアップと、ピックアップが読み出した直流成分を含むRF信号を所定レベルに増幅する増幅回路とを有し、
前記エンベロープ信号生成部は、前記増幅回路が増幅した前記RF信号のエンベロープを表すエンベロープ信号を生成することを特徴とするディスク再生装置。
【請求項１４】
請求項９記載のディスク再生装置であって、
前記ディスクからRF信号を読み出すピックアップと、ピックアップが読み出した直流成分を含むRF信号を所定レベルに増幅する増幅回路とを有し、
前記エンベロープ信号生成部は、前記増幅回路が増幅した前記RF信号のエンベロープを表すエンベロープ信号を生成することを特徴とするディスク再生装置。
【請求項１５】
請求項１０記載のディスク再生装置であって、
前記ディスクからRF信号を読み出すピックアップと、ピックアップが読み出した直流成分を含むRF信号を所定レベルに増幅する増幅回路とを有し、
前記エンベロープ信号生成部は、前記増幅回路が増幅した前記RF信号のエンベロープを表すエンベロープ信号を生成することを特徴とするディスク再生装置。
【請求項１６】
記録媒体であるディスクから読み出したRF信号に発生した、記録信号成分の欠落であるドロップアウトの発生を検出するドロップアウト検出方法であって、
前記RF信号のエンベロープを表すエンベロープ信号を生成するエンベロープ信号生成ステップと、
ドロップアウトが発生しているとみなす前記エンベロープ信号の状態を規定する基準に従って、生成したエンベロープ信号の状態からドロップアウトの発生を検出し、ドロップアウトの発生を検出している期間中、ドロップアウトの発生を表すドロップアウト検出信号を出力するドロップアウト信号生成ステップと、
前記RF信号の振幅の大きさを検出する振幅検出ステップと、
前記ドロップアウト信号生成ステップで用いる前記基準を設定すると共に、当該設定する前記基準を前記振幅検出ステップで検出した振幅の大きさに応じて、同期間のドロップアウトに対して前記RF信号の振幅によらずに同期間のドロップアウト信号が出力されるように変化させる基準調整ステップとを有することを特徴とするドロップアウト検出方法。
【請求項１７】
請求項１６記載のドロップアウト検出方法であって、
前記基準調整ステップにおいて、前記基準が前記幅検出ステップで検出した振幅の大きさが小さいほど小さい値を規定するように当該基準を変化させ、
前記ドロップアウト信号生成ステップにおいて、前記エンベロープ信号の振幅の中央値に前記基準が規定する値を加えたしきい値よりも、当該エンベロープ信号の大きさが小さい期間中、前記ドロップアウト検出信号を出力することを特徴とするドロップアウト検出方法。
【請求項１８】
請求項１６記載のドロップアウト検出方法であって、
前記基準調整ステップにおいて、前記基準が前記幅検出ステップで検出した振幅の大きさが小さいほど小さい値を規定するように当該基準を変化させ、
前記ドロップアウト信号生成ステップにおいて、前記エンベロープ信号に前記基準が規定する値を加えた信号の大きさよりも、前記エンベロープ信号の低域成分の大きさが大きい期間中、前記ドロップアウト検出信号を出力することを特徴とするドロップアウト検出方法。
【請求項１９】
請求項１６記載のドロップアウト検出方法であって、
前記ドロップアウト信号生成ステップは、
ローパスフィルタを用いて前記エンベロープ信号の低域成分を抽出するステップと、
前記エンベロープ信号に所定値を加えた信号の大きさと、前記ローパスフィルタを用いて抽出した前記低域成分の大きさとを比較し、前記エンベロープ信号に所定値を加えた信号の大きさよりも前記低域成分の大きさが大きい期間中、前記ドロップアウト検出信号を出力する比較ステップとを有し、
前記基準は、前記ローパスフィルタの周波数ゲイン特性を規定するものであり、
前記基準調整ステップにおいて、基準が規定する周波数ゲイン特性における前記ローパスフィルタのカットオフ周波数が前記振幅検出ステップで検出した振幅の大きさが小さいほど大きくなるように、当該基準を変化させることを特徴とするドロップアウト検出方法。
【請求項２０】
請求項１９記載のドロップアウト検出方法であって、
前記基準は、前記ローパスフィルタの周波数ゲイン特性に加え、前記所定値の大きさを規定するものであり、
前記基準調整ステップにおいて、基準が規定する前記所定値の大きさが前記振幅検出ステップで検出した振幅の大きさが小さいほど小さくなるように、当該基準を変化させることを特徴とするドロップアウト検出方法。
【発明の詳細な説明】
【技術分野】
【０００１】
本発明は、記録ディスクの再生を行うディスクドライブにおいてドロップアウトを検出する技術に関するものである。
【背景技術】
【０００２】
記録ディスクの再生を行うディスクドライブにおいて、記録ディスクの傷等により良好に信号読み取りができなくなる現象であるドロップアウトを検出する技術としては、光ディスクよりピックアップで読み出したRF信号のエンベロープに基づいてドロップアウトの発生を検出する技術が知られている（たとえば、特許文献１）。この技術では、RF信号のエンベロープが急激に所定レベル以上低下したときに、当該エンベロープが低下している期間中、ドロップアウトの発生を表すドロップアウト検出信号を出力する。
【特許文献１】特開2003-132533号公報
【発明の開示】
【発明が解決しようとする課題】
【０００３】
前記特許文献１記載の技術によれば、RF信号のエンベロープの振幅の大きさが異なると、ドロップアウトの発生を表すドロップアウト検出信号が出力されるタイミングや期間が変化してしまい、同様の特性でドロップアウトの発生に対する処理を行えなくなるという問題がある。なお、エンベロープの振幅とは、ドロップアウト発生直前、直後のエンベロープの大きさと、ドロップアウト発生中のエンベロープの大きさとの差を指す。
【０００４】
そこで、本発明は、RF信号のエンベロープの振幅の大きさによらず、発生時間長さが同じドロップアウトに対して、同じ長さの期間、ドロップアウトの発生を表すドロップアウト検出信号を出力することを課題とする。
【課題を解決するための手段】
【０００５】
前記課題達成のために、本発明は、記録媒体であるディスクから読み出したRF信号に発生した、記録信号成分の欠落であるドロップアウトの発生を検出するドロップアウト検出装置に、前記RF信号のエンベロープを表すエンベロープ信号を生成するエンベロープ信号生成部と、ドロップアウトが発生しているとみなす前記エンベロープ信号の状態を規定する基準に従って、前記エンベロープ信号生成部が生成した前記エンベロープ信号の状態から、ドロップアウトの発生を検出し、ドロップアウトの発生を検出している期間中、ドロップアウトの発生を表すドロップアウト検出信号を出力するドロップアウト信号生成部と、前記RF信号の振幅の大きさを検出する振幅検出部と、前記ドロップアウト信号生成部に前記基準を設定すると共に、当該ドロップアウト信号生成部に設定する前記基準を前記振幅検出部が検出した振幅の大きさに応じて、同期間のドロップアウトに対して前記RF信号の振幅によらずに同期間のドロップアウト信号が出力されるように変化させる基準調整部とを備えて構成したものである。
【０００６】
このようなドロップアウト検出装置によれば、RF信号の振幅に応じて、ドロップアウトが発生しているとみなす前記エンベロープ信号の状態を規定する基準を変化させることによって、同期間のドロップアウトに対して前記RF信号の振幅によらずに同期間のドロップアウト信号を出力することができるようになる。
【０００７】
ここで、以上のようなドロップアウト検出装置は、より具体的には、前記基準調整部において、前記基準が前記振幅検出部が検出した振幅の大きさが小さいほど小さい値を規定するように当該基準を変化させ、前記ドロップアウト信号生成部において、前記エンベロープ信号の振幅の中央値に前記基準が規定する値を加えたしきい値よりも、当該エンベロープ信号の大きさが小さい期間中、前記ドロップアウト検出信号を出力するように構成してもよい。
【０００８】
または、以上のようなドロップアウト検出装置は、前記基準調整部において、前記基準が前記振幅検出部が検出した振幅の大きさが小さいほど小さい値を規定するように当該基準を変化させ、前記ドロップアウト信号生成部において、前記エンベロープ信号に前記基準が規定する値を加えた信号の大きさよりも、前記エンベロープ信号の低域成分の大きさが大きい期間中、前記ドロップアウト検出信号を出力するように構成してもよい。
【０００９】
また、以上のようなドロップアウト検出装置は、前記ドロップアウト信号生成部を、前記エンベロープ信号の低域成分を抽出するローパスフィルタと、前記エンベロープ信号に所定値を加えた信号の大きさと、前記ローパスフィルタが抽出した前記低域成分の大きさとを比較し、前記エンベロープ信号に所定値を加えた信号の大きさよりも前記低域成分の大きさが大きい期間中、前記ドロップアウト検出信号を出力する比較部とより構成し、前記基準を、前記ローパスフィルタの周波数ゲイン特性を規定するものとし、前記基準調整部において、基準が規定する周波数ゲイン特性における前記ローパスフィルタのカットオフ周波数が前記振幅検出部が検出した振幅の大きさが小さいほど大きくなるように、当該基準を変化させるように構成してもよい。また、この場合には、さらに、前記基準を、前記ローパスフィルタの周波数ゲイン特性に加え、前記所定値の大きさを規定するものとし、前記基準調整部において、基準が規定する前記所定値の大きさが前記振幅検出部が検出した振幅の大きさが小さいほど小さくなるように、当該基準を変化させるようにしてもよい。
【００１０】
ここで、このようなドロップアウト検出装置は、光ディスクなどのディスク再生装置においてドロップアウトの検出に用いることができる。ここで、このようなドロップアウト検出装置を適用したディスク再生装置には、ディスク再生装置の前記ディスクからRF信号を読み出すピックアップが読み出した直流成分を含むRF信号を所定レベルに増幅する増幅回路を設け、前記エンベロープ信号生成部において、前記増幅回路が増幅した前記RF信号のエンベロープを表すエンベロープ信号を生成するようにすることが、より安定的にドロップアウトを検出できるようにする上で好ましい。
【発明の効果】
【００１１】
以上のように、本発明によれば、RF信号のエンベロープの振幅の大きさによらず、発生時間長さが同じドロップアウトに対して、同じ長さの期間、ドロップアウトの発生を表すドロップアウト検出信号を出力することができる。
【発明を実施するための最良の形態】
【００１２】
以下、本発明の実施形態について、光ディスクドライブへの適用を例にとり説明する。
図１に、本実施形態に係る光ディスクドライブの構成を示す。
図示するように、光ディスクドライブ１は、クランパ１０１、ターンテーブル１０２、スピンドルモータ１０３、フィードモータ１０４、ピックアップ１０５、RFアンプ部１０６、信号処理部１０７、サーボエラー信号生成部１０８、サーボ制御部１０９、ドロップアウト検出部１１０、システムコントローラ１１１、ホスト装置２に接続するホストインタフェース１１２を備えている。
【００１３】
このような構成において、クランパ１０１とターンテーブル１０２は、光ディスクドライブ１に装着されたCDやDVDなどの光ディスク３をクランプし、スピンドルモータ１０３はターンテーブル１０２とクランパ１０１の間にクランプされた光ディスク３を回転する。また、フィードモータ１０４は、ピックアップ１０５を光ディスク３の径方向に移動させるシーク動作を行う。
【００１４】
次に、ピックアップ１０５は、レーザ光源と、光電素子と、レーザ光源からの照射を集光するとともに光ディスク３の信号記録面からの反射光を光電素子に導く対物レンズと、この対物レンズを光ディスク３の信号記録面に垂直方向に移動させることにより焦点位置を調整するフォーカスアクチュエータと、対物レンズを光ディスク３の径方向に移動させることによりトラッキング調整を行うトラッキングアクチュエータとを含んでいる。そして、ピックアップ１０５は、光電素子で検出した、光ディスク３の信号記録面からの反射光を光電変換した信号を出力する。
【００１５】
次に、RFアンプ部１０６は、ピックアップ１０５から出力される信号を入力RF信号RFinとして受け入れ、入力RF信号RFinを直流成分も含めて増幅した第１RF信号RF1をドロップアウト検出部１１０に出力する。また、RFアンプ部１０６は、入力RF信号RFinの交流成分を増幅して、出力RF信号RFoutとして信号処理部１０７に出力する。
【００１６】
また、サーボエラー信号生成部１０８は、ピックアップ１０５から出力される信号から、フォーカスサーボに必要なフォーカスエラー信号（FE）およびトラッキングサーボに必要なトラッキングエラー信号（TE）などを生成する。
次に、信号処理部１０７は、RFアンプ部１０６から出力される出力RF信号RFoutからのデータの復調や、復調したデータに発生したエラーの、復調データに含まれるEDCやECCを用いた検出やエラーの訂正を行って、光ディスク３に記録されたデータを再生し、再生したデータをホストインタフェース１１２に送る。
【００１７】
また、ドロップアウト検出部１１０は、RFアンプ部１０６から出力される第１RF信号RF1のエンベロープのレベルを検出し、検出したエンベロープのレベルに応じて、光ディスク３の傷等による、ピックアップ１０５におけるRF信号中の記録信号成分の欠落であるドロップアウトの発生を検出し、ドロップアウトの発生をドロップアウト検出信号DETによりシステムコントローラ１１１と、サーボ制御部１０９に通知する。
【００１８】
また、サーボ制御部１０９は、システムコントローラ１１１の制御に応じたフィードモータ１０４のシーク動作の制御や、フォーカスエラー信号（FE）、トラッキングエラー信号（TE）に応じた各種のサーボ制御を行う。例えば、サーボ制御部１０９は、ピックアップ１０５やフィードモータ１０４に指示を送ることにより、レーザ光源の制御およびフォーカスサーボ制御およびトラッキングサーボ制御を行うとともに、スピンドルモータ１０３に指示を送ることにより、スピンドルモータ１０３の回転数のサーボ制御を行う。また、サーボ制御部１０９は、ロップアウト検出信号DETによりドロップアウトの検出が通知されている期間、サーボ制御の特性をドロップアウトの検出通知前の特性に維持する動作なども行う。
【００１９】
そして、システムコントローラ１１１は、以上の各部を制御し、ホストインタフェース１１２を介してホスト装置２から受け取ったホストコマンドに応じて、光ディスク３よりホストコマンドによって要求されたデータを再生して、ホストインタフェース１１２を介してホスト装置２に転送するリード処理などを行う。また、システムコントローラ１１１は、ドロップアウト検出信号DETによりドロップアウトの検出が通知されたならば、所定のドロップアウトエラー対策処理を行う。このドロップアウトエラー対策処理としては、たとえば、読み出し対象とするトラックを複数トラック分、スキップする処理などがある。
【００２０】
次に、図２にRFアンプ部１０６の構成を示す。
図示するように、RFアンプ部１０６は、第１ゲイン可変アンプ１１と、ＤＣカット用のコンデンサ１２と、第２ゲイン可変アンプ１３と、振幅レベルモニタ部１４と、ゲイン制御部１５とを有する。
そして、ピックアップ１０５から入力する入力RF信号RFinを第１ゲイン可変アンプ１１で増幅して第１RF信号RF1とし、第１RF信号RF1をドロップアウト検出部１１０に出力する。また、コンデンサ１２で第１RF信号RF1の交流成分を抽出して第２RF信号RF2とし、第２RF信号RF2を第２ゲイン可変アンプ１３で増幅して出力RF信号RFoutとして信号処理部１０７に出力する。なお、ピックアップ１０５において四分割フォトダイオードなどを用いて領域毎に反射光を光電変換する場合には、ピックアップ１０５から各領域について出力される信号を合算する加算部を設け、加算部で加算した信号を入力RF信号RFinとして用いるようにする。
【００２１】
次に、振幅レベルモニタ部１４は、出力RF信号RFoutの振幅Aoutを検出し、ドロップアウト検出部１１０と、ゲイン制御部１５に通知する。
そして、ゲイン制御部１５は、第１ゲイン可変アンプ１１のゲインG1と第２ゲイン可変アンプ１３のゲインG2を、光ディスク３の再生開始時などに、振幅レベルモニタ部１４から通知された出力RF信号RFoutの振幅Aoutに基づいて、出力RF信号RFoutの振幅Aoutが所定の出力レベル（たとえば、第２ゲイン可変アンプ１３のダイナミックレンジ）となるように、それぞれゲイン制御信号CNTG1、CNTG2によって制御する。また、ゲイン制御部１５は、第２ゲイン可変アンプ１３のゲインG2のゲイン制御信号CNTG2を、ドロップアウト検出部１１０に通知する。
【００２２】
ここで、ゲイン制御部１５は、第１ゲイン可変アンプ１１のゲインG1と第２ゲイン可変アンプ１３のゲインG2は、たとえば、次のように制御する。
すなわち、出力RF信号RFoutの振幅Aoutと、現在の第１ゲイン可変アンプ１１のゲインG1と、現在の第２ゲイン可変アンプ１３のゲインG2とから求まる入力RF信号RFinの振幅をAinとし、G1×Ain/Kが、所定値（たとえば、第１ゲイン可変アンプ１１の最大出力値）となるようにゲインG1を求める。また、このように定めた第１ゲイン可変アンプ１１のゲインG1を用いた状態において、出力RF信号RFoutの振幅Aoutが、所定の出力レベル（たとえば、第２ゲイン可変アンプ１３のダイナミックレンジ）となるように第２ゲイン可変アンプ１３のゲインG2を定める。
【００２３】
ここで、Kは定数であり、規格上定められている、光ディスク３上で記録信号を表す高反射率と低反射率のコンビネーションにおける、高反射率と低反射率の反射率の差分の、高反射率の反射率に対する比率、したがって、入力RF信号RFinの振幅Ainの、入力RF信号RFinの上側のエンベロープのレベルEinに対する比率の最小値である。なお、光ディスク３がＣＤ-Ｒである場合には、この比率、比率の最小値は0.6と定められており、K=0.6となる。
【００２４】
次に、図３にドロップアウト検出部１１０の構成を示す。
図示するようにドロップアウト検出部１１０は、エンベロープ生成回路２１、ローパスフィルタ２２（LPF２２）、加算器２３、比較器２４、検出制御部２５を有している。また、検出制御部２５は、振幅検出部２５１、フィルタ特性設定部２５２、シフト量設定部２５３とを有している。
【００２５】
そして、このような構成において、エンベロープ生成回路２１は、図４ａに示すように、RFアンプ部１０６から入力する第１RF信号RF1の上側エンベロープを表すエンベロープ信号ENVを生成する。ローパスフィルタ２２は、検出制御部２５から設定されたカットオフ周波数や時定数などにより定まる周波数ゲイン特性でエンベロープ信号ENVの低域成分を抽出し、LFENV信号として出力する。一方、加算器２３は、検出制御部２５から出力されるシフト量SHを、エンベロープ信号ENVに加算し、シフトエンベロープ信号SENV信号として出力する。そして、比較器２４は、ローパスフィルタ２２が出力するLFENV信号とシフトエンベロープ信号SENVとを比較し、図４ｃに示すようにLFENV信号がシフトエンベロープ信号SENVより大きい期間PT中、ドロップアウト検出信号DETを出力する。ここで、このようにドロップアウト検出部１１０において、ピックアップ１０５から入力する入力RF信号RFinの交流成分を抽出して増幅した出力RF信号RFoutではなく、入力RF信号RFinを直流成分を含めたまま増幅した第１RF信号RF1をドロップアウトの検出に用いるのは、出力RF信号RFoutでは交流成分の抽出の際に信号の周波数特性が変化するため、この出力RF信号RFoutからでは確実にドロップアウト信号を検出できなくなるからである。
【００２６】
一方、検出制御部２５において、振幅検出部２５１は、RFアンプ部１０６から通知される出力RF信号RFoutの振幅Aoutと第２ゲイン可変アンプ１３のゲインG2とより、ARF1=Aout/G2によって、第１RF信号RF1の振幅ARF1を検出する。そして、フィルタ特性設定部２５２は第１RF信号RF1の振幅ARF1の大きさに応じた周波数ゲイン特性に、ローパスフィルタ２２の周波数ゲイン特性を設定する。また、シフト量設定部２５３は、第１RF信号RF1の振幅ARF1の大きさに応じた大きさのシフト量SHを出力する。
【００２７】
ここで、フィルタ特性設定部２５２がローパスフィルタ２２に設定する周波数ゲイン特性と第１RF信号RF1の振幅ARF1の大きさの関係と、シフト量設定部２５３が出力するシフト量SHと第１RF信号RF1の振幅ARF1の大きさの関係とは、第１RF信号RF1の振幅ARF1によらず、第１RF信号RF1に発生した同様のドロップアウトに対して、同じタイミングで同じ時間長PTのドロップアウト検出信号DETが出力されるように、予め実験的にまたは計算により求め設定しておく。
【００２８】
すなわち、たとえば、図４ａと図４ｂとに、異なる振幅ARF1の第１RF信号RF1について示すように、第１RF信号RF1の振幅ARF1が小さいほどシフト量SHが小さくなるように、シフト量設定部２５３が出力するシフト量SHと第１RF信号RF1の振幅ARF1の大きさの関係を定める。また、エンベロープ信号ENVの振幅によらずエンベロープ信号ENVの変化に対して同様の比率でLFENV信号が変化するように、フィルタ特性設定部２５２がローパスフィルタ２２に設定する周波数ゲイン特性と第１RF信号RF1の振幅ARF1の大きさの関係を定める。より具体的には、たとえば、第１RF信号RF1の振幅ARF1が小さいほどカットオフ周波数が高くなるように周波数ゲイン特性と、フィルタ特性設定部２５２がローパスフィルタ２２に設定する周波数ゲイン特性と第１RF信号RF1の振幅ARF1の大きさの関係を定めるようにする。
このようにすることにより、図４ａと図４ｂとの、同じタイミングで同じ時間長のドロップアウトが発生している異なる振幅ARF1の第１RF信号RF1について、図４ｃに示すように、同じタイミングで同じ時間長PTのドロップアウト検出信号DETを出力することができる。
【００２９】
なお、ローパスフィルタ２２の周波数ゲイン特性とシフト量SHとを固定とした場合、図４ａと図４ｅとに、異なる振幅ARF1の第１RF信号RF1について示すように、図４ａと図４ｅとの、同じタイミングで同じ時間長のドロップアウトが発生している異なる振幅ARF1の第１RF信号RF1について、図４ｃと図４ｄに示されるように、異なるタイミングで異なる時間長PTのドロップアウト検出信号DETが出力されてしまうことになる。
【００３０】
以上、本発明の実施形態について説明した。
以上のように、本実施形態によれば、RF信号の振幅に応じて、ドロップアウト検出の基準を変化させることにより、同じタイミングで同じ時間長のドロップアウトが発生している異なる振幅RF信号について、同じタイミングで同じ時間長のドロップアウト検出信号を出力することができるようになる。
【００３１】
なお、このようにRF信号の振幅に応じて、ドロップアウト検出の基準を変化させることにより、同じタイミングで同じ時間長のドロップアウトが発生している異なる振幅RF信号について、同じタイミングで同じ時間長のドロップアウト検出信号を出力する本実施形態の技術は、ドロップアウト検出部１１０として、図３に示した構成とは異なる構成を採用する場合にも、同様に適用することができる。
【００３２】
すなわち、たとえば、ドロップアウト検出部１１０は、図５に示すように構成してもよい。
図示するように、このドロップアウト検出部１１０は、レベルシフト回路３１と、第２エンベロープ生成回路３２と、第２加算器３３と、第２比較器３４と、第２検出制御部３５とを備えている。また、第２検出制御部３５は、第２振幅検出部３５１としきい値調整部３５２とを備えている。
【００３３】
このような構成において、図６ａに示すように、レベルシフト回路３１は、RFアンプ部１０６から入力する第１RF信号RF1を、第１RF信号RF1の振幅の中心が基準電圧ＶＢとなるように、第１RF信号RF1のレベルをシフトする。そして、第２エンベロープ生成回路３２は、レベルシフト回路３１によってレベルがシフトされた第１RF信号RF1の上側エンベロープを表すエンベロープ信号ENVを生成する。一方、第２加算器３３は、第２検出制御部３５から出力されるしきい値調整量ΔThを基準電圧ＶＢに加算し、しきい値信号THとして出力する。そして、そして、第２比較器３４は、エンベロープ信号ENVとしきい値信号THとを比較し、図６ｃに示すようにしきい値信号THがエンベロープ信号ENVより大きい期間PT中、ドロップアウト検出信号DETを出力する。
【００３４】
一方、第２検出制御部３５において、第２振幅検出部３５１は、RFアンプ部１０６から通知される出力RF信号RFoutの振幅Aoutと第２ゲイン可変アンプ１３のゲインG2とより、ARF1=Aout/G2によって、第１RF信号RF1の振幅ARF1を検出する。そして、しきい値調整部３５２は第１RF信号RF1の振幅ARF1の大きさに応じたしきい値調整量ΔThを出力する。
【００３５】
ここで、しきい値調整部３５２が出力するしきい値調整量ΔThと第１RF信号RF1の振幅ARF1の大きさの関係とは、第１RF信号RF1の振幅ARF1によらず、第１RF信号RF1に発生した同じドロップアウトに対して、同じタイミングで同じ時間長PTのドロップアウト検出信号DETが出力されるように、予め実験的にまたは計算により求め設定しておく。
【００３６】
すなわち、たとえば、図６ａと図６ｂとに、異なる振幅ARF1の第１RF信号RF1について示すように、第１RF信号RF1の振幅ARF1が小さいほどしきい値調整量ΔThが小さくなるように、しきい値調整部３５２が出力するしきい値調整量ΔThと第１RF信号RF1の振幅ARF1の大きさの関係を定めておけば、図６ａと図６ｂとの、同じタイミングで同じ時間長のドロップアウトが発生している異なる振幅ARF1の第１RF信号RF1について、図６ｃに示すように、同じタイミングで同じ時間長PTのドロップアウト検出信号DETを出力することができる。
【００３７】
なお、しきい値調整部３５２が出力するしきい値調整量ΔThを固定とした場合、図６ａと図６ｅとの、同じタイミングで同じ時間長のドロップアウトが発生している異なる振幅ARF1の第１RF信号RF1について、図６ｃと図６ｄに示すように、異なるタイミングで異なる時間長PTのドロップアウト検出信号DETが出力されてしまうことになる。
【００３８】
ところで、本実施形態に係るRFアンプ部１０６は、図７に示すように構成することもできる。
図示するように、このRFアンプ部１０６は、図２に示したRFアンプ部１０６に、第１RF信号RF1の上側のエンベロープのレベルEinを検出する信号レベルモニタ部を追加したものである。また、ゲイン制御部１５において、信号レベルモニタ部が検出した第１RF信号RF1の上側のエンベロープのレベルEinが、所定のレベル（たとえば、第１ゲイン可変アンプ１１の出力最大値）となるように、第１ゲイン可変アンプ１１のゲインG1を定める。そして、その上で振幅レベルモニタ部１４で検出した出力RF信号RFoutの振幅Aoutに基づいて、振幅Aoutが所定の出力レベル（たとえば、第２ゲイン可変アンプ１３のダイナミックレンジ）となるように第２ゲイン可変アンプ１３のゲインG2を定める。
【００３９】
このようにすることにより、入力RF信号RFinの振幅Ainの、入力RF信号RFinの上側のエンベロープのレベルEinに対する比率の最小値が規格値以上小さい場合でも、第１RF信号RF1が第１ゲイン可変アンプ１１で飽和してしまうことを排除することができ、これにより、より適正にドロップアウトの検出を行うことができるようになる。
【図面の簡単な説明】
【００４０】
【図１】本発明の実施形態に係る光ディスクドライブの構成を示すブロック図である。
【図２】本発明の実施形態に係るRFアンプ部の構成を示すブロック図である。
【図３】本発明の実施形態に係るドロップアウト検出部の構成を示すブロック図である。
【図４】本発明の実施形態に係るドロップアウト検出部の動作を示す図である。
【図５】本発明の実施形態に係るドロップアウト検出部の他の構成例を示すブロック図である。
【図６】本発明の実施形態に係る他の構成例によるドロップアウト検出部の動作を示す図である。
【図７】本発明の実施形態に係るRFアンプ部の他の構成例を示すブロック図である。
【符号の説明】
【００４１】
１…光ディスクドライブ、２…ホスト装置、３…光ディスク、１１…第１ゲイン可変アンプ、１２…コンデンサ、１３…第２ゲイン可変アンプ、１４…振幅レベルモニタ部、１５…ゲイン制御部、２１…エンベロープ生成回路、２２…ローパスフィルタ、２３…加算器、２４…比較器、２５…検出制御部、３１…レベルシフト回路、３２…第２エンベロープ生成回路、３３…第２加算器、３４…第２比較器、３５…第２検出制御部、１０１…クランパ、１０２…ターンテーブル、１０３…スピンドルモータ、１０４…フィードモータ、１０５…ピックアップ、１０６…RFアンプ部、１０７…信号処理部、１０８…サーボエラー信号生成部、１０９…サーボ制御部、１１０…ドロップアウト検出部、１１１…システムコントローラ、１１２…ホストインタフェース、２５１…振幅検出部、２５２…フィルタ特性設定部、２５３…シフト量設定部、３５１…第２振幅検出部、３５２…値調整部。
【図１】
2008287799.tif 000003
【図２】
2008287799.tif 000004
【図３】
2008287799.tif 000005
【図４】
2008287799.tif 000006
【図５】
2008287799.tif 000007
【図６】
2008287799.tif 000008
【図７】
2008287799.tif 000009